(57)【要約】【課題】カム筒の内周部において、カム溝やバヨネット溝を配置する部位を選択する際の自由度を高めることができるレンズ鏡筒を提供する。【解決手段】内周部にレンズ保持部と係合するカム溝部が設けられたカム筒５と、レンズ保持部の回転方向の移動を規制する直進筒６とを備えるレンズ鏡筒を設ける。直進筒６には、複数のバヨネット凸部６ｂ，６ｅが光軸方向に異なる位置に設けられている。また、カム筒５の内周部には、直進筒６が備えるバヨネット凸部と係合して、カム筒５と直進筒６との光軸方向の相対的な位置規制を行う複数のバヨネット溝部５ｂ乃至５ｆが、光軸方向に異なる位置に設けられている。そして、カム筒５の直進筒６に対する相対的な回転に伴って、上記バヨネット凸部と上記バヨネット溝部との係合によるカム筒５と直進筒６との光軸方向の相対的な位置規制が、上記相対的な回転に応じた位置規制に変更される。【選択図】図１６
2015031900.tif 000002
【特許請求の範囲】
【請求項１】
レンズを保持するレンズ保持部と、
内周部に前記レンズ保持部と係合するカム溝部が設けられ、回転しながら光軸方向に移動することにより、前記レンズ保持部を光軸方向に移動させるカム筒と、
前記カム筒の内周側に配置され、前記カム筒と係合して前記光軸方向に移動するとともに、前記レンズ保持部の回転方向の移動を規制する直進筒とを備え、
前記直進筒には、複数のバヨネット凸部が、前記光軸方向に異なる位置に設けられており、
前記カム筒の内周部には、さらに、前記直進筒が備える前記バヨネット凸部と係合して、前記カム筒と前記直進筒との前記光軸方向の相対的な位置規制を行う複数のバヨネット溝部が、前記光軸方向に異なる位置に設けられており、
前記カム筒の前記直進筒に対する相対的な回転に伴って、前記バヨネット凸部と前記バヨネット溝部との係合による前記カム筒と前記直進筒との前記光軸方向の相対的な位置規制が、前記カム筒の前記相対的な回転に応じた位置規制に変更される
ことを特徴とするレンズ鏡筒。
【請求項２】
前記直進筒には、第１、第２のバヨネット凸部が、前記光軸方向に異なる位置に設けられており、
前記カム筒には、少なくともいずれかが前記第１または第２のバヨネット凸部と係合する第１、第２および第３のバヨネット溝部が、前記光軸方向に異なる位置に設けられている
ことを特徴とする請求項１に記載のレンズ鏡筒。
【請求項３】
前記カム筒に対する前記直進筒の前記光軸方向の第１の相対位置では、前記第１のバヨネット凸部が、前記第１のバヨネット溝部の幅方向の両側壁面に当接することにより、前記カム筒と前記直進筒との前記光軸方向の相対的な第１の位置規制を行い、
前記カム筒に対する前記直進筒の前記光軸方向の第２の相対位置では、前記第１のバヨネット凸部が、前記第２のバヨネット溝部の幅方向の両側壁面に当接するとともに、前記第１のバヨネット凸部と前記第２のバヨネット凸部とによって形成される凹部が、前記第２のバヨネット溝部と前記第３のバヨネット溝部とによって形成される凸部を挟むことにより、前記カム筒と前記直進筒との前記光軸方向の相対的な第２の位置規制を行う
ことを特徴とする請求項２に記載のレンズ鏡筒。
【請求項４】
前記カム筒に対する前記直進筒の前記光軸方向の第３の相対位置では、前記第１のバヨネット凸部と前記第２のバヨネット凸部とによって形成される凹部が、前記第２のバヨネット溝部と前記第３のバヨネット溝部とによって形成される凸部を挟むことにより、前記カム筒と前記直進筒との前記光軸方向の相対的な第３の位置規制を行う
ことを特徴とする請求項２または請求項３に記載のレンズ鏡筒。
【請求項５】
前記第１のバヨネット溝部と前記第２のバヨネット溝部との接続部に、前記直進筒が前記カム筒に対する前記光軸方向の第１の相対位置にある状態から前記カム筒の前記直進筒に対する相対的な回転に伴って前記第２の相対位置に移動する際に前記第１のバヨネット凸部が通過する第１の導入溝が設けられており、
前記第２のバヨネット溝部と前記第３のバヨネット溝部との接続部に、前記直進筒が前記カム筒に対する前記光軸方向の第１の相対位置にある状態から前記カム筒の前記直進筒に対する相対的な回転に伴って前記第２の相対位置に移動する際に前記第２のバヨネット凸部が通過する第２の導入溝が設けられている
ことを特徴とする請求項２乃至４のいずれか１項に記載のレンズ鏡筒。
【請求項６】
前記第１、第２のバヨネット凸部は、それぞれ、光軸周りの複数箇所に設けられている
ことを特徴とする請求項２乃至５のいずれか１項に記載のレンズ鏡筒。
【請求項７】
前記第１の相対位置にある前記直進筒は、前記カム筒と前記光軸方向に互いに接近配置され、
前記第２、第３の相対位置にある前記直進筒は、前記カム筒と前記光軸方向に互いに離間配置される
ことを特徴とする請求項２乃至６のいずれか１項に記載のレンズ鏡筒。
【請求項８】
請求項１乃至７のいずれか１項に記載のレンズ鏡筒を備える撮像装置。
【発明の詳細な説明】
【技術分野】
【０００１】
本発明は、レンズ鏡筒および撮像装置に関する。
【背景技術】
【０００２】
複数のレンズをそれぞれ保持する複数のレンズ保持枠をカム筒の回転により光軸方向に移動させつつ、直進筒によりレンズ保持枠の回転方向の移動を規制してレンズを所定の位置に移動させるズーム機構を備えるレンズ鏡筒が提案されている。
【０００３】
近年の撮影倍率の高倍率化の要請に伴って、レンズの数が増加したり、繰出し全長が長くなったりするので、レンズ鏡筒が大型化する傾向にある。一方、カメラの薄型化の要求もあり、レンズ鏡筒の収納時のカメラの厚さを極力薄くすることが求められている。
【０００４】
カメラの薄型化のためには、光軸方向の寸法を短くした鏡筒を多段構成でつなげることが考えられるが、鏡筒に複数のカム溝を交差することなく配置するにはスペース的に多くの制約がある。
【０００５】
一方、カム筒の内周部には、通常、直進筒に設けたバヨネット凸部が追従するバヨネット溝が形成される。そして、バヨネット凸部が、バヨネット溝に嵌合されてバヨネット溝の幅方向の両側壁面に当接することで、カム筒と直進筒との光軸方向の相対的な位置規制がなされる。
【０００６】
しかし、カム筒の内周部には、複数のレンズ保持枠のそれぞれに設けられたフォロアが追従する複数のカム溝が配置されるので、バヨネット溝の配置スペースについても制約が生じることになる。
【０００７】
特許文献１は、カム筒の内周部に形成した複数のカム溝と交差するようにバヨネット溝を周方向に沿って配置したレンズ鏡筒を開示している。特許文献２は、ＴＥＬＥ位置において、直進筒に設けられたバヨネット凸部と直進リブでバヨネット溝の像面側壁面とカム筒の像面側端面との間の部分を光軸方向に挟むことで、カム筒と直進筒との光軸方向の相対的な位置規制をするレンズ鏡筒を開示している。
【先行技術文献】
【特許文献】
【０００８】
【特許文献１】特開２００７−０９３９９９号公報
【特許文献２】特開２０１１−２１５２７９号公報
【発明の概要】
【発明が解決しようとする課題】
【０００９】
特許文献１が開示するレンズ鏡筒では、バヨネット凸部がカム溝を通過する際にバヨネット凸部がカム溝を跨ぐように、バヨネット溝を全てのカム溝に対して交差させて配置しなければならない。このようにバヨネット溝を配置しないと、バヨネット凸部がカム溝を通過する際にバヨネット溝から外れてしまい、カム筒と直進筒との光軸方向の相対的な位置規制ができなくなる。したがって、カム筒の内周部において、カム溝やバヨネット溝を配置する部位を選択する際の自由度が低下して、様々なレンズ群の動作に対応することができなくなる。
【００１０】
また、特許文献２が開示するレンズ鏡筒では、カム筒が直進筒に対して相対的に回転する際に、直進リブを避けて回転する必要があるので、バヨネット溝の配置に制限が発生する。
【００１１】
本発明は、カム筒の内周部において、カム溝やバヨネット溝を配置する部位を選択する際の自由度を高めることができるレンズ鏡筒の提供を目的とする。
【課題を解決するための手段】
【００１２】
本発明の一実施形態のレンズ鏡筒は、レンズを保持するレンズ保持部材と、内周部に前記レンズ保持部材と係合するカム溝部が設けられ、回転しながら光軸方向に移動することにより、前記レンズ保持部材を光軸方向に移動させるカム筒と、前記カム筒の内周側に配置され、前記カム筒と係合して前記光軸方向に移動するとともに、前記レンズ保持部の回転方向の移動を規制する直進筒とを備える。前記直進筒には、複数のバヨネット凸部が、前記光軸方向に異なる位置に設けられている。前記カム筒の内周部には、さらに、前記直進筒が備える前記バヨネット凸部と係合して、前記カム筒と前記直進筒との前記光軸方向の相対的な位置規制を行う複数のバヨネット溝部が、前記光軸方向に異なる位置に設けられている。そして、前記カム筒の前記直進筒に対する相対的な回転に伴って、前記バヨネット凸部と前記バヨネット溝部との係合による前記カム筒と前記直進筒との前記光軸方向の相対的な位置規制が、前記カム筒の前記相対的な回転に応じた位置規制に変更される。
【発明の効果】
【００１３】
本発明のレンズ鏡筒によれば、カム筒の内周部において、カム溝やバヨネット溝を配置する部位を選択する際の自由度を高めることができるので、様々なレンズ群の動作に対応することができる。
【図面の簡単な説明】
【００１４】
【図１】撮像装置を正面側から見た外観斜視図の一例である。
【図２】電源をＯＮした状態でのデジタルカメラの外観斜視図の一例である。
【図３】デジタルカメラの背面図の一例である。
【図４】デジタルカメラの底面図の一例である。
【図５】デジタルカメラの機能ブロック図の一例である。
【図６】レンズ鏡筒の収納位置での状態を示す断面図である。
【図７】レンズ鏡筒の撮影位置での状態を示す断面図である。
【図８】カム筒と直進筒の分解斜視図である。
【図９】収納位置でのカム筒と直進筒との位置関係を示す図である。
【図１０】撮影位置でのカム筒と直進筒との位置関係を示す図である。
【図１１】収納位置でのカム筒の内周側の展開図である。
【図１２】収納位置と撮影位置の中間位置でのカム筒の内周側の展開図である。
【図１３】第１の撮影位置でのカム筒の内周側の展開図である。
【図１４】第２の撮影位置でのカム筒の内周側の展開図である。
【図１５】第３の撮影位置でのカム筒の内周側の展開図である。
【図１６】カム筒と直進筒との光軸方向の相対的な位置規制を説明する図である。
【発明を実施するための形態】
【００１５】
以下に、本実施形態のレンズ鏡筒と撮像装置について、図面を参照して説明する。
図１は、本実施形態のレンズ鏡筒を備える撮像装置を正面側から見た外観斜視図の一例である。図１に示す撮像装置は、デジタルカメラ１８である。図２は、図１に示すデジタルカメラの、電源をＯＮした状態での外観斜視図の一例である。図３は、図１に示すデジタルカメラの背面図の一例である。また、図４は、図１に示すデジタルカメラの底面図の一例である。
【００１６】
デジタルカメラ１８は、撮影位置と収納位置との間を光軸方向に移動して撮影倍率を変更するズーム機構を備える。図１に示すように、デジタルカメラ１８の正面には、被写体の構図を決めるファインダ１６、測光測距を行う場合の補助光源１５、ストロボ１７、及びレンズ鏡筒１９が配置されている。また、デジタルカメラ１８の上面には、レリーズボタン１２、電源切換えボタン１４、及びズーム切換えスイッチ１３が配置されている。
【００１７】
また、デジタルカメラ１８の背面には、図３に示すように、操作ボタン２２〜２７、ＬＣＤ（Liquid Crystal Display）等のディスプレイ２１と、ファインダ接眼部２０とが配置されている。
【００１８】
更に、図４に示すように、デジタルカメラ１８の底面には、三脚取付部２８、カバー２９が配置されている。カバー２９は、メモリカードドライブ４２（図５参照）およびバッテリー挿入部（不図示）を覆う。
【００１９】
図５は、図１に示すデジタルカメラの機能ブロック図の一例である。
バス４４には、ＣＰＵ４６、ＲＯＭ４５、ＲＡＭ４７、レリーズボタン１２、操作ボタン２２乃至２７、ディスプレイ２１、電源切換えボタン１４、ズームスイッチ１３、メモリ４０、圧縮伸長部４１、メモリカードドライブ４２及び駆動回路４３が接続される。ＣＰＵは、Ｃｅｎｔｒａｌ  Ｐｒｏｃｅｓｓｉｎｇ  Ｕｎｉｔの略称である。ＲＯＭは、Ｒｅａｄ  Ｏｎｌｙ  Ｍｅｍｏｒｙの略称である。ＲＡＭは、Ｒａｎｄｏｍ  Ａｃｃｅｓｓ  Ｍｅｍｏｒｙの略称である。
【００２０】
駆動回路４３には、レンズ鏡筒１９をズーム駆動するズーム機構３０、フォーカスレンズ７を駆動するフォーカス駆動機構３１、シャッタ３５を駆動するシャッタ駆動機構３２、絞り３６を駆動する絞り駆動機構３４が接続される。また、駆動回路４３には、ＣＣＤセンサやＣＭＯＳセンサ等の撮像素子８及びストロボ１７が接続される。ＣＣＤは、Ｃｈａｒｇｅ  Ｃｏｕｐｌｅｄ  Ｄｅｖｉｃｅの略称である。ＣＭＯＳは、Ｃｏｍｐｌｅｍｅｎｔａｒｙ  Ｍｅｔａｌ−Ｏｘｉｄｅ  Ｓｅｍｉｃｏｎｄｕｃｔｏｒの略称である。駆動回路４３に接続された各ユニットは、ＣＰＵ４６からの信号に基づいて、駆動回路４３を介して駆動が制御される。
【００２１】
ＲＯＭ４５には、各種制御プログラム等が記憶され、ＲＡＭ４７には、各種制御プログラムに必要なデータが記憶されている。アナログ信号処理部３７は、撮像素子８から出力された画像データにアナログ処理を施し、Ａ／Ｄ変換部３８に出力する。
【００２２】
Ａ／Ｄ変換部３８は、撮像素子８から取り込んだアナログデータをデジタルデータに変換して、デジタル信号処理部３９に出力する。デジタル信号処理部３９は、Ａ／Ｄ変換部３８で変換されたデジタルデータに対して所定の処理を行い、画像データとしてメモリ４０に出力する。
【００２３】
メモリ４０に記憶された画像データは、操作ボタン２３の操作によって圧縮伸長部４１によりＪＰＥＧやＴＩＦＦ等の圧縮処理等が施された後、メモリカードドライブ４２に装着されたメモリカードに出力されて記憶される。
【００２４】
また、メモリ４０に記憶された画像データやメモリカードに記憶された画像データを圧縮伸長部４１によって伸張処理を行い、その後、バス４４を介してディスプレイ２１に表示させることができる。ディスプレイ２１に表示された画像をユーザが見て不要と判断した場合は、操作ボタン２４の操作によって消去することができる。
【００２５】
次に、図６乃至図１２を参照して、レンズ鏡筒１９について説明する。図６は、レンズ鏡筒の収納位置での状態を示す断面図である。図７は、レンズ鏡筒の撮影位置での状態を示す断面図である。また、図８は、カム筒と直進筒の分解斜視図である。
【００２６】
図６及び図７に示すように、レンズ鏡筒１９では、第一レンズ１が第一レンズ保持枠３に保持され、第一レンズ１の像面側（撮像素子８側）に配置される第二レンズ２が第二レンズ保持枠４に保持されている。
【００２７】
第一レンズ保持枠３及び第二レンズ保持枠４は、カム筒５の内周部に設けられたカム溝部であるカム溝５ｃ（図１２参照）に係合して追従するフォロア部（不図示）を有する。この例では、フォロア部としてフォロアピンが用いられる。このフォロア部がカム溝５ｃに追従することにより、カム筒５が回転しながら光軸方向に移動するに伴って、第一レンズ保持枠３及び第二レンズ保持枠４が光軸方向に移動する。
【００２８】
また、第一レンズ保持枠３及び第二レンズ保持枠４は、カム筒５の内周側に配置された直進筒６により回転方向の移動が規制された状態で、光軸方向に直進移動可能に保持される。すなわち、直進筒６は、カム筒５と係合して光軸方向に移動するとともに、第一レンズ保持枠３及び第二レンズ保持枠４の回転方向の移動を規制する直進規制部材である。また、第一レンズ保持枠３及び第二レンズ保持枠４は、レンズ保持部の一例である。
【００２９】
カム筒５は、固定筒９の内周部に設けられたカム溝９ａに追従するフォロアピン５ｄ（図８参照）を有する。カム筒５は、ズーム機構３０から動力が伝達されることで、回転しながら光軸方向に移動する。
【００３０】
直進筒６は、固定筒９の内周部に設けられた不図示の直進溝に係合する直進キー６ｃを有し、直進キー６ｃが直進溝に案内されることで、回転が規制された状態で光軸方向に直進移動する。
【００３１】
第二レンズ保持枠４と撮像素子８との間には、第三レンズ７を保持する第三レンズ保持枠１０が配置されており、撮像素子８は、固定筒９に固定された撮像素子保持枠１１に保持されている。なお、第三レンズ７は、本実施形態では、フォーカスレンズである。
【００３２】
カム筒５がズーム機構３０によって回転させられることにより、カム筒５が光軸方向に繰出すと共に、第一レンズ保持枠３及び第二レンズ保持枠４も光軸方向に繰出す。このとき、直進筒６は、カム筒５とバヨネット結合されて、カム筒５と略一体となって光軸方向に直進移動する。
【００３３】
本実施形態では、後述するカム筒５と直進筒６とのバヨネット結合構造により、カム筒５が直進筒６に対して光軸方向に相対的に接近離間移動する。
【００３４】
また、レンズ鏡筒１９の収納位置（図６）では、カム筒５と直進筒６とは互いに接近配置され、レンズ鏡筒１９の撮影位置（図７）では、カム筒５と直進筒６とは互いに離間配置される。
【００３５】
図９は、レンズ鏡筒の収納位置でのカム筒と直進筒との位置関係を示す図である。図９（Ａ）は、カム筒と直進筒とを光軸方向から見た図を示す。図９（Ｂ）は、図９（Ａ）に示すカム筒と直進筒の側面図である。
【００３６】
図９に示すように、レンズ鏡筒１９の収納位置では、カム筒５と直進筒６とが光軸方向に互いに接近して配置され、カム筒５の突出部５ａと直進筒６の直進リブ６ａとは周方向に対向して配置される。これにより、収納位置でのレンズ鏡筒１９の光軸方向の長さを短くしてカメラの薄型化を図ることができる。
【００３７】
図１０は、レンズ鏡筒の撮影位置でのカム筒と直進筒との位置関係を示す図である。図１０（Ａ）は、カム筒と直進筒とを光軸方向から見た図を示す。図１０（Ｂ）は、図１０（Ａ）に示すカム筒と直進筒の側面図である。
【００３８】
レンズ鏡筒１９の撮影位置では、カム筒５の突出部５ａの撮像側に直進筒６の直進リブ６ａが移動する。これにより、直進筒６がカム筒５に対して像面側に相対的に移動し、カム筒５と直進筒６とが光軸方向に互いに離間配置される。
【００３９】
図８に戻って、直進筒６には、第１のバヨネット凸部６ｂが周方向つまり光軸周りに略等間隔で複数箇所（この例では３箇所）設けられている。また、第１のバヨネット凸部６ｂの周方向の両側には、それぞれヘリコイド部６Ａが配置されている。また直進筒６には第１のバヨネット凸部６ｂとは光軸方向に異なる位置に、第２のバヨネット凸部６ｅが周方向に略等間隔で複数箇所（この例では３箇所）設けられている。
【００４０】
図１１乃至図１４は、カム筒の内周側の展開図の一例である。
図１１乃至図１４に示すように、カム筒５の像面側の端部内周部には、カム筒５の回転時に第１のバヨネット凸部６ｂが追従する周溝５ｂと光軸方向に異なる位置に、周溝５ｅが周方向に延びて形成されている。また周溝５ｂ、５ｅと撮影光軸方向に異なる位置に配置され、撮像側に側壁面の無い周溝５ｆがある。周溝５ｂ，５ｅ，５ｆは、少なくともいずれかが第１のバヨネット凸部６ｂまたは第２のバヨネット凸部６ｅと係合する。
【００４１】
周溝５ｂと５ｅの接続部には、カム筒５の回転時に第１のバヨネット凸部６ｂが追従するヘリコイド溝５Ａが形成されている。ヘリコイド溝５Ａは、第１のバヨネット凸部６ｂのヘリコイド部６Ａに対応する形状を有して、周溝５ｂから被写体側に離れる方向に斜めに延設されている。
【００４２】
周溝５ｅと５ｆの接続部には、第２のバヨネット凸部６ｅを周溝５ｆに挿入するための導入口５Ｂが形成されている。更に、本実施形態では、周溝５ｂ、５ｅ、５ｆ及びヘリコイド溝５Ａ、導入口５Ｂはカム筒５の内周部の周方向に略等間隔で３組配置されている。周溝５ｂ，５ｅ、５ｆ及びヘリコイド溝５Ａ、導入口５Ｂは、バヨネット溝部の一例に相当する。そして、レンズ鏡筒１９の収納位置では、第１のバヨネット凸部６ｂが周溝５ｂに配置され、第２のバヨネット凸部６ｅが周溝５ｅに配置されて、カム筒５と直進筒６とがバヨネット結合される。
【００４３】
図１１は、収納位置でのカム筒の内周側の展開図を示す。レンズ鏡筒１９の収納位置では、カム筒５と直進筒６とは、図９で説明したように、光軸方向に互いに接近して配置され、カム筒５の突出部５ａと直進筒６の直進リブ６ａとは、周方向に対向して配置される。
【００４４】
図１２は、収納位置と撮影位置の中間位置でのカム筒の内周側の展開図を示す。
カム筒５が直進筒６に対して相対的に回転するにしたがって、第１のバヨネット凸部６ｂがヘリコイド溝５Ａに沿って追従し、周溝５ｅに達する。また第２のバヨネット凸部６ｅは周溝５ｅから導入溝５Ｂを通って５ｆに達する。このとき、レンズ鏡筒１９は、撮影位置に配置され、図１０で説明したように、直進筒６がカム筒５に対して像面側に移動し、カム筒５と直進筒６とが光軸方向に互いに離間配置される。
【００４５】
ここで、本実施形態では、レンズ鏡筒１９の撮影位置で第二レンズ保持枠４のフォロアピンが追従するカム筒５のカム溝５ｃを突出部５ａの内周部（裏面側）に延長して設けている。これにより、第一レンズ１と第二レンズ２との光軸方向のストロークを図６と図７のＹ−Ｘの分だけ長くすることができ、結果としてカメラの撮影倍率の高倍率化を実現することができる。なお、レンズ鏡筒１９の撮影位置から収納位置までの動作は、上記と逆の動作となる。
【００４６】
図１６は、カム筒と直進筒との光軸方向の相対的な位置規制を説明する図である。図１６を参照して、カム筒の直進筒に対する相対的な回転に伴う、バヨネット凸部とバヨネット溝部との係合によるカム筒と直進筒との光軸方向の相対的な位置規制の変更について説明する。
【００４７】
図１６（Ａ）は、レンズ鏡筒１９の収納位置におけるカム筒と直進筒との光軸方向の相対的な位置規制を示す。レンズ鏡筒１９の収納位置では、直進筒６は、カム筒５に対して光軸方向の第１の相対位置にある。レンズ鏡筒１９の収納位置では、直進筒６のバヨネット凸部６ｂは、カム筒５の周溝５ｂに嵌合されている。即ち、図１１に示す幅αの周溝５ｂに図６に示す幅Ａのバヨネット凸部６ｂが嵌合されて、バヨネット凸部６ｂが周溝５ｂの幅方向（光軸方向）の両側壁面に当接することで、カム筒５と直進筒６との光軸方向の相対的な位置規制がなされる。また、直進筒６のバヨネット凸部６ｅは、カム筒５の周溝５ｅに嵌合されているが周溝５ｅの幅方向（光軸方向）の両側壁面には当接していない。
【００４８】
すなわち、カム筒５に対する直進筒６の光軸方向の第１の相対位置では、第１のバヨネット凸部６ｂが、第１のバヨネット溝部（周溝５ｂ）の幅方向の両側壁面に当接することにより、カム筒５と直進筒６との光軸方向の相対的な位置規制を行う。
【００４９】
次に、カム筒５と直進筒６が離間配置された後の最初の撮影位置である第１の撮影位置（例えば、ＷＩＤＥ撮影位置）におけるカム筒と直進筒との光軸方向の相対的な位置規制について説明する。レンズ鏡筒の第１の撮影位置では、直進筒６はカム筒５と接近配置されており、カム筒５に対して光軸方向の第２の相対位置にある。図１３は、第１の撮影位置でのカム筒の内周側の展開図である。また、図１６（Ｃ）は、第１の撮影位置におけるカム筒と直進筒との光軸方向の相対的な第１の位置規制を示す。
【００５０】
図１６（Ａ）に示すカム筒５が直進筒６に対して相対的に回転するにしたがって、第１のバヨネット凸部６ｂがヘリコイド溝５Ａに沿って追従し、周溝５ｅに達する。また第２のバヨネット凸部６ｅは周溝５ｅから導入溝５Ｂを通って５ｆに達する。これにより、レンズ鏡筒が第１の撮影位置となる。すなわち、ヘリコイド溝５Ａは、直進筒６が第１の相対位置にある状態から第２の相対位置に移動する際に第１のバヨネット凸部６ｂが通過する第１の導入溝として機能する。また、導入溝５Ｂは、直進筒６が第１の相対位置にある状態から第２の相対位置に移動する際に第２のバヨネット凸部６ｅが通過する第２の導入溝として機能する。
【００５１】
第１の撮影位置では、直進筒６の第１のバヨネット凸部６ｂは、カム筒５の周溝５ｅに嵌合される。直進筒６の第１のバヨネット凸部６ｂと第２のバヨネット凸部６ｅに挟まれた領域で形成されるバヨネット溝部６ｇは、カム筒５の周溝５ｅと５ｆによって形成される周リブ部５ｇと嵌合される。つまり、バヨネット凸部６ｂが、第２のバヨネット溝部（周溝５ｅ）の幅方向の両側壁面に当接し、凹部（バヨネット溝部６ｇ）が、第２のバヨネット溝部（周溝５ｅ）と第３のバヨネット溝部（周溝５ｆ）とによって形成される凸部（周リブ部５ｇ）を挟む。これにより、第１の撮影位置におけるカム筒５と直進筒６との光軸方向の相対的な第２の位置規制がなされる（図１３、図１６（Ｃ）参照）。
【００５２】
次に、カム筒５と直進筒６が離間配置された後の第２の撮影位置（例えば、ＷＩＤＥ撮影位置からＴＥＬ撮影位置へに移行する途中の中間撮影位置）におけるカム筒と直進筒との光軸方向の相対的な位置規制について説明する。レンズ鏡筒の第２の撮影位置では、直進筒６は、カム筒５に対して光軸方向の第３の相対位置にある。図１４は、第２の撮影位置でのカム筒の内周側の展開図である。また、図１６（Ｂ）は、第２の撮影位置におけるカム筒と直進筒との光軸方向の相対的な位置規制を示す。
【００５３】
レンズ鏡筒１９の第２の撮影位置では、カム筒５の周溝５ｅの被写体側壁面５ｈが無くなる。したがって、直進筒６の第１のバヨネット凸部６ｂと第２のバヨネット凸部６ｅに挟まれた領域で形成されるバヨネット溝部６ｇは、カム筒５の周溝５ｅと５ｆによって形成される周リブ部５ｇと嵌合される（図１４、図１６（Ｂ）参照）。すなわち、バヨネット凸部６ｂとバヨネット凸部６ｅとによって形成される凹部（バヨネット溝部６ｇ）が、第２のバヨネット溝部（周溝５ｅ）と第３のバヨネット溝部（周溝５ｆ）とによって形成される凸部（周リブ部５ｇ）を挟む。これにより、第２の撮影位置ではカム筒５と直進筒６との光軸方向の相対的な第３の位置規制がなされる。
【００５４】
次に、カム筒５と直進筒６が離間配置された後の第３の撮影位置（例えば、ＴＥＬ撮影位置）におけるカム筒と直進筒との光軸方向の相対的な位置規制について説明する。図１５は、第３の撮影位置でのカム筒の内周側の展開図である。また、第３の撮影位置では、カム筒５と直進筒６は第１の撮影状態と同じ嵌合状態となる（図１６（Ｃ）参照）。このように第１の撮影位置の嵌合状態と第２の撮影位置の嵌合状態が繰り返し配置される。
【００５５】
本実施形態のレンズ鏡筒では、直進筒６に光軸方向の位置が異なる複数のバヨネット凸部、カム筒５に光軸方向の位置が異なる複数のバヨネット溝部が設けられている。そして、カム筒５の直進筒６に対する相対的な回転に伴って、バヨネット凸部とバヨネット溝部との係合によるカム筒５と直進筒６との光軸方向の相対的な位置規制が変更される。そして、少なくともレンズ鏡筒１９の撮影位置での周溝５ｅについては、被写体側の側壁面を開放することができ、図１６（Ｂ）中、符号Ｚで示す領域にカム溝などを配置することが可能となる。したがって、カム筒５の内周部において、カム溝５ｃやバヨネット溝部５ｂ，５ｅ，５ｆ，５Ａ，５Ｂを配置する部位を選択する際の自由度を高めることができ、様々なレンズ群の動作に対応することができる。
【００５６】
また、本実施形態のレンズ鏡筒は、特許文献２が開示するレンズ鏡筒のように突出部５ａと直進リブ６ａが嵌合するのではなく、第２のバヨネット凸部６ｅとカム筒５の内周部に配置された周溝５ｅ、５ｆが嵌合されている。したがって、図１６（Ｂ）に示すように突出部５ａの配置自由度が高い。
【００５７】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５８】
３  第一レンズ保持枠
４  第二レンズ保持枠
５  カム筒
５ｂ，５ｅ，５ｆ  周溝
５Ａ  ヘリコイド溝
５Ｂ  導入口
６    直進筒
６ｂ  第１のバヨネット凸部
６ｅ  第２のバヨネット凸部
１９  レンズ鏡筒
【図１】
2015031900.tif 000003
【図２】
2015031900.tif 000004
【図３】
2015031900.tif 000005
【図４】
2015031900.tif 000006
【図５】
2015031900.tif 000007
【図６】
2015031900.tif 000008
【図７】
2015031900.tif 000009
【図８】
2015031900.tif 000010
【図９】
2015031900.tif 000011
【図１０】
2015031900.tif 000012
【図１１】
2015031900.tif 000013
【図１２】
2015031900.tif 000014
【図１３】
2015031900.tif 000015
【図１４】
2015031900.tif 000016
【図１５】
2015031900.tif 000017
【図１６】
2015031900.tif 000018